(57)【要約】【課題】本発明が解決しようとする課題は、確実に会員に対してのみ会員専用商品を販売することを可能にした販売データ処理装置およびプログラムを提供することである。【解決手段】実施形態の販売データ処理装置は、入力された会員特定情報を記憶する会員記憶部と、取得した販売対象を特定する特定情報に基づいて、当該販売対象が会員のみ販売可能な販売対象であるかを判断する販売対象判断部と、当該販売対象が会員のみ販売する販売対象であって前記会員記憶部に前記会員情報が記憶されている場合にのみ当該販売対象に係る決済処理を実行する決済処理部と、を備える。【選択図】図６
2020187596.tif 000002
【特許請求の範囲】
【請求項１】
入力された会員特定情報を記憶する会員記憶部と、
取得した販売対象を特定する特定情報に基づいて、当該販売対象が会員のみ販売可能な販売対象であるかを判断する販売対象判断部と、
当該販売対象が会員のみ販売する販売対象であって前記会員記憶部に前記会員情報が記憶されている場合にのみ当該販売対象に係る決済処理を実行する決済処理部と、
を備えた販売データ処理装置。
【請求項２】
前記販売対象が会員のみ販売する販売対象であって前記会員記憶部に前記会員情報が記憶されていない場合には、当該販売対象は販売できないことを示す第１メッセージを報知する報知部、
をさらに備えた請求項１に記載の販売データ処理装置。
【請求項３】
前記報知部は、前記第１メッセージを報知する前に、前記会員情報の入力を促す第２メッセージを報知する、
請求項２に記載の販売データ処理装置。
【請求項４】
前記報知部は、前記販売対象が会員に提供するサービスに係る販売対象である場合には、当該販売対象に係る決済処理が終了した後に当該サービスの作業開始の指示を報知する、
請求項１乃至３のいずれか一に記載の販売データ処理装置。
【請求項５】
前記決済処理を指示する締めキー、
をさらに備え、
前記締めキーが操作されると前記販売対象判断部および前記決済処理部の処理が実行される、
請求項１乃至４のいずれか一に記載の販売データ処理装置。
【請求項６】
入力された会員特定情報を記憶する会員記憶部を備えた販売データ処理装置としてのコンピュータを、
取得した販売対象を特定する特定情報に基づいて、当該販売対象が会員のみ販売可能な販売対象であるかを判断する販売対象判断部と、
当該販売対象が会員のみ販売する販売対象であって前記会員記憶部に前記会員情報が記憶されている場合にのみ当該販売対象に係る決済処理を実行する決済処理部と、
して機能させるためのプログラム。
【発明の詳細な説明】
【技術分野】
【０００１】
本発明の実施形態は、販売データ処理装置およびプログラムに関する。
【背景技術】
【０００２】
例えば自動車用品販売店や自転車用品販売店等の店舗において、会員だけに販売する商品や会員だけに提供するサービス（自転車のパンクの修理や自動車のオイル交換）（以降、「会員専用商品」と総称する）がある。これらの会員専用商品は会員になることで購入することができる。
【０００３】
ところで、これらの会員専用商品を会員に販売する際には、店舗の店員は、顧客が会員であることを確認し、また販売する商品が会員専用商品であるかを確認し、ＰＯＳ（Point  of  Sales）端末等の販売データ処理装置を操作して、会員に対して会員専用商品を販売する。しかしながら、店員が、会員や会員専用商品であるかの確認を忘れ、会員でない顧客に会員専用商品を販売することがあった。
【発明の概要】
【発明が解決しようとする課題】
【０００４】
本発明が解決しようとする課題は、会員に対してのみ会員専用商品を販売することを可能にした販売データ処理装置およびプログラムを提供することである。
【課題を解決するための手段】
【０００５】
実施形態の販売データ処理装置は、入力された会員特定情報を記憶する会員記憶部と、取得した販売対象を特定する特定情報に基づいて、当該販売対象が会員のみ販売可能な販売対象であるかを判断する販売対象判断部と、当該販売対象が会員のみ販売する販売対象であって前記会員記憶部に前記会員情報が記憶されている場合にのみ当該販売対象に係る決済処理を実行する決済処理部と、を備える。
【図面の簡単な説明】
【０００６】
【図１】図１は、実施形態に係るＰＯＳ端末を含むＰＯＳシステムを示す図である。
【図２】図２は、ＰＯＳ端末のハードウェア構成を示すブロック図である。
【図３】図３は、商品マスタのメモリ構成を示す図である。
【図４】図４は、会員専用商品マスタのメモリ構成を示す図である。
【図５】図５は、ＰＯＳ端末の機能構成を示す機能ブロック図である。
【図６】図６は、ＰＯＳ端末の制御処理の流れを示すフローチャートである。
【発明を実施するための形態】
【０００７】
以下、図を参照して、実施形態について説明する。実施形態では、例えば自動車用品販売店や自転車用品販売店等の店舗で使用されるＰＯＳ端末（Point  of  Sales）を販売データ処理装置の一例として説明する。また、実施形態では、店舗で販売される商品のうち、会員のみに販売される商品を「会員商品」といい、顧客に提供されるサービスの提供のうち、会員のみに提供されるサービス（例えば、自転車のパンクの修理作業や自動車のオイル交換作業）を「作業商品」という。そして、会員商品と作業商品を総称して「会員専用商品」という。なお、以下に説明する実施形態によりこの発明が限定されるものではない。なお、会員とは、店舗や店舗を運営する企業に氏名、住所、電話番号等を登録して、会員を特定する会員コード（会員特定情報）を取得した顧客をいう。また、商品やサービスはいずれも「販売対象」であるが、以降の説明において、サービスも一つの商品とし、分かり易く説明するために、販売対象を商品という。
【０００８】
図１は、実施形態に係るＰＯＳ端末を含むＰＯＳシステムを示す図である。図１に示すＰＯＳシステム１は、店舗内に設けられる。ＰＯＳシステム１は、１台または複数台のＰＯＳ端末１０と１台の店舗サーバ３０とを備える（実施形態では、複数台のＰＯＳ端末１０と１台の店舗サーバ３０とを備える。）各ＰＯＳ端末１０と店舗サーバ３０は、例えばＬＡＮ（Local  Area  Network）等の通信回線で接続されており、相互に情報の送受信が可能である。
【０００９】
ＰＯＳ端末１０は、店舗で販売する商品について販売登録処理を実行する。販売登録処理は、商品に付されたシンボルを読み取って取得した、当該商品を特定する特定情報である商品コードに対応した当該商品の商品名や価格等の商品情報をＰＯＳ端末１０の店員用表示部１８と客用表示部１９に表示し、当該商品情報を商品情報部１３２（図２を参照）に記憶する処理を含む。実施形態において、商品マスタ１４２（図２を参照）には、同一商品に対し、当該商品を会員以外（通常）の顧客に販売する価格である通常価格と、会員に販売する価格である会員価格（通常は通常価格より安い価格）の２種類の価格が設定されている。会員コードが入力されていない場合は、店員用表示部１８と客用表示部１９に表示する商品の価格は、通常価格である。商品情報部１３２には、通常価格および会員価格を記憶される。これに対して、会員コードが入力されている場合は、店員用表示部１８と客用表示部１９に表示する商品の価格は、会員価格である。この場合、商品情報部１３２には、会員価格を記憶される。なお、会員コードが入力されている場合であっても、店員用表示部１８と客用表示部１９に表示する商品の価格は通常価格であってもよい。
【００１０】
また、ＰＯＳ端末１０は、店舗で販売する会員専用商品について、会員コードが入力されている場合に限り、上述と同様の販売登録処理を実行する。この場合は、店員用表示部１８と客用表示部１９には会員価格を表示し、商品情報部１３２には、会員価格を記憶する。
【００１１】
ＰＯＳ端末１０は、販売登録処理した商品について、決済処理を実行する。決済処理は、販売登録処理した商品の合計金額、顧客から預かった預り金額に基づいて、釣銭額を算出し、店員用表示部１８と客用表示部１９に表示する処理を含む。また、決済処理は、合計金額、預り金額、釣銭額等の決済情報と、商品情報を印字したレシートを発行する処理を含む。
【００１２】
ＰＯＳ端末１０は、所定時間になると、所定期間（例えば一日）に販売した商品に係る商品情報と決済情報を、精算レポートとして店舗サーバ３０に送信する。
【００１３】
店舗サーバ３０は、各ＰＯＳ端末１０から受信した精算レポートを集計し、店舗の売り上げを管理する。
【００１４】
また店舗サーバ３０は、会員にのみ販売が可能な会員専用商品を会員専用商品部３０１に記憶する。店舗は、会員商品や作業商品を設けることで、顧客の会員化を推進する。そして、会員商品は、それぞれの会員商品を特定する商品コードが付されている。また、作業商品には、それぞれサービス（商品）を特定する商品コードが付されている。
【００１５】
店舗の担当者または責任者は、店舗サーバ３０を操作して、会員専用商品の商品コード、商品名、会員価格等の会員専用商品情報を入力する。入力された会員専用商品情報は、会員専用商品部３０１に記憶される。店舗の担当者または責任者は、会員専用商品部３０１に記憶されている会員専用商品情報を変更することができる。店舗サーバ３０は、会員専用商品部３０１に記憶されている会員専用商品情報を、所定のタイミングで各ＰＯＳ端末１０に送信する。
【００１６】
ここからは、ＰＯＳ端末１０のハードウェアについて説明する。図２は、ＰＯＳ端末１０のハードウェア構成を示すブロック図である。図２に示すように、ＰＯＳ端末１０は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は、制御主体となる。ＲＯＭ１２は、各種プログラムを記憶する。ＲＡＭ１３は、各種データを展開する。メモリ部１４は、各種プログラムを記憶する。ＣＰＵ１１、ＲＯＭ１２、ＲＡＭ１３、メモリ部１４は、互いにデータバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述するＰＯＳ端末１０の制御処理を実行する。
【００１７】
ＲＡＭ１３は、会員記憶部１３１と商品情報部１３２を備える。会員記憶部１３１は、後述するカードリーダ２１が読み取った、会員が携帯する会員カードに記憶されている会員コードを記憶する。商品情報部１３２は、ＰＯＳ端末１０が、販売登録処理した商品の商品情報（商品コード、商品名称、商品の価格、等）を記憶する。
【００１８】
メモリ部１４は、制御プログラム部１４１、商品マスタ１４２、会員専用商品マスタ１４３を備える。制御プログラム部１４１は、ＰＯＳ端末１０を制御処理するためのプログラムを記憶する。商品マスタ１４２は、商品を特定する商品コードに対応付けて、当該商品の商品情報を記憶する。会員専用商品マスタ１４３は、店舗サーバ３０から受信した会員専用商品情報（すなわち、会員専用商品部３０１に記憶されている会員専用商品情報）を記憶する。
【００１９】
また、制御部１００は、データバス１５およびコントローラ１６を介して、操作部１７、店員用表示部１８、客用表示部１９、プリンタ２０、カードリーダ２１、バーコードリーダ２２と接続される。
【００２０】
操作部１７は、締めキー１７１を含むキーボードである。締めキー１７１は、顧客との取引を終了する際に操作する。また、操作部１７は、作業商品を指定するキーを備える。会員が作業商品を希望すると、店員は、当該作業商品に対応したキーを操作する。すると、操作されたキーに対応付けられた、当該作業商品を特定する商品コードが発生する。
【００２１】
店員用表示部１８は、例えば液晶表示器であり、店員に対して情報を表示する。客用表示部１９は、例えば液晶表示器であり、顧客に対して情報を表示する。
【００２２】
プリンタ２０は、ＰＯＳ端末１０に内蔵されたプリンタである。プリンタ２０は、商品情報や決済情報をレシート用紙に印字して発行する。カードリーダ２１は、会員カードに記憶された会員コードを、電気的または磁気的に読み取る。また、カードリーダ２１は、例えばクレジットカード等の媒体から、情報を読み取る。ＰＯＳ端末１０は、読み取った情報に基づいて顧客に対する決済処理を実行する。
【００２３】
バーコードリーダ２２は、商品に付されたバーコードや二次元コード等のシンボルを光学的に読み取る装置である。バーコードリーダ２２は、光学的にシンボルを読み取る。なお、バーコードリーダ２２は、シンボルを撮像した画像に基づいてシンボルを読み取る構造としてもよい。
【００２４】
また、制御部１００は、データバス１５を介して通信Ｉ／Ｆ２３と接続する。通信Ｉ／Ｆ２３は、通信回線Ｌを介して店舗サーバ３０や他のＰＯＳ端末１０と接続されており、相互に情報の送受信を行うことが可能である。
【００２５】
ここからは、商品マスタ１４２について説明する。商品マスタ１４２は、商品を特定する特定情報である商品コードに対応付けて、当該商品の商品名、通常価格、会員価格を記憶する。会員価格は通常価格と比べて安価な価格を設定することが多い。通常商品については通常価格と会員価格が設定される。会員専用商品については会員価格のみが設定される。
【００２６】
図３は、商品マスタ１４２のメモリ構成を示す図である。図３に示すように、商品マスタ１４２は、商品コード部１４２１、商品名部１４２２、通常価格部１４２３、会員価格部１４２４を備える。商品コード部１４２１は、商品を特定する商品コードを記憶する。商品名部１４２２は、商品コード部１４２１に記憶された商品コードに対応付けて、当該商品コードが特定する商品の商品名を記憶する。通常価格部１４２３は、商品コード部１４２１に記憶された商品コードに対応付けて、当該商品コードが特定する商品の通常価格を記憶する。会員価格部１４２４は、商品コード部１４２１に記憶された商品コードに対応付けて、当該商品コードが特定する商品の会員価格を記憶する。
【００２７】
例えば、商品コード「０００１」の商品は、商品名が「商品Ａ」であり、通常価格が１０００円であり、会員価格が８００円である。すなわち、商品Ａは、会員ではない顧客に対しては１０００円で販売され、会員に対しては８００円で販売される。また、商品コード「０００２」の商品は、商品名が「商品Ｂ（パンク修理）」であり、通常価格は設定されておらず、会員価格は８００円である。すなわち、商品Ｂは、会員に対しては８００円で販売されるが、会員ではない顧客に対しては販売されない会員専用商品（商品Ｂは、会員にのみ提供される作業商品）である。また、商品コード「０００３」の商品は、商品名が「商品Ｃ」であり、通常価格が１０００円であり、会員価格が１０００円である。すなわち、商品Ｃは、通常価格と会員価格が同額であり、会員ではない顧客および会員に対して同額の１０００円で販売される。
【００２８】
ここからは、会員専用商品マスタ１４３について説明する。会員専用商品マスタ１４３は、会員にのみ販売可能な会員専用商品の会員専用商品情報を記憶する。図４は、会員専用商品マスタ１４３のメモリ構成を示す図である。図４に示すように、会員専用商品マスタ１４３は、商品コード部１４３１、商品名部１４３２、会員価格部１４３３、作業商品部１４３４を備える。商品コード部１４３１は、会員専用商品を特定する商品コードを記憶する。商品名部１４３２は、商品コード部１４２１に記憶された商品コードに対応付けて、当該商品コードが特定する会員専用商品の商品名を記憶する。会員価格部１４３３は、商品コード部１４２１に記憶された商品コードに対応付けて、当該商品コードが特定する会員専用商品の会員価格を記憶する。作業商品部１４３４は、商品コード部１４２１に記憶された商品コードに対応付けて、会員専用商品マスタ１４３に記憶されている会員専用商品が作業商品であるかを示すフラグを記憶する。作業商品部１４３４にフラグ「１」が記憶されている会員専用商品は作業商品である。作業商品部１４３４にフラグ「０」が記憶されている会員専用商品は作業商品ではない（すなわち「会員商品」である）。
【００２９】
ここからは、ＰＯＳ端末１０の機能構成について説明する。図５は、ＰＯＳ端末１０の機能構成を示す機能ブロック図である。図５に示すように、ＰＯＳ端末１０の制御部１００は、ＲＯＭ１２やメモリ部１４に記憶されＲＡＭ１３に展開された制御プログラムに従うことで、会員入力判断部１０１、商品コード判断部１０２、販売対象判断部１０３、会員記憶判断部１０４、決済処理部１０５、報知部１０６として機能する。
【００３０】
会員入力判断部１０１は、カードリーダ２１が読み取った会員コードが入力されたかを判断する。会員入力判断部１０１は、会員コードを読み取ったと判断した場合に、当該会員コードを会員記憶部１３１に記憶する。
【００３１】
商品コード判断部１０２は、バーコードリーダ２２が読み取った商品に付されたシンボルに基づいて当該商品を特定する商品コードを取得したかを判断する。商品コード判断部１０２は、商品コードを取得したと判断した場合に、当該商品コードに基づいて商品マスタ１４２から取得した商品情報（商品コード、商品名、商品の価格、等）を商品情報部１３２に記憶する。商品コード判断部１０２は、会員記憶部１３１に会員コードが記憶されている場合には、会員価格を商品情報部１３２に記憶し、店員用表示部１８と客用表示部１９に会員価格を表示する。商品コード判断部１０２は、会員記憶部１３１に会員コードが記憶されていない場合には、通常価格と会員価格を商品情報部１３２に記憶し、店員用表示部１８と客用表示部１９に通常価格を表示する。
【００３２】
販売対象判断部１０３は、取得した商品コードに基づいて、当該商品コードで特定される販売対象が会員専用商品であるかを判断する。具体的には、販売対象判断部１０３は、締めキー１７１が操作されると、商品情報部１３２に記憶されている商品コードに基づいて会員専用商品マスタ１４３を検索し、商品情報部１３２に記憶されている商品コードで特定される商品に、会員専用商品が含まれているかを判断する。
【００３３】
会員記憶判断部１０４は、会員記憶部１３１に会員コードが記憶されているかを判断する。
【００３４】
決済処理部１０５は、販売対象が会員専用商品であって、会員記憶部１３１に会員コードが記憶されている場合にのみ当該会員専用商品に係る決済処理を実行する。具体的には、決済処理部１０５は、販売対象判断部１０３が、商品情報部１３２に記憶されている商品コードに会員専用商品が含まれていると判断し、会員記憶判断部１０４が、会員記憶部１３１に会員コードが記憶されていると判断した場合に、当該会員専用商品に係る決済処理を実行する。
【００３５】
報知部１０６は、販売対象が会員専用商品であって会員記憶部１３１に会員コードが記憶されていない場合には、当該会員専用商品は販売できないことを示す第１メッセージを報知する。具体的には、報知部１０６は、販売対象判断部１０３が、商品情報部１３２に記憶されている商品コードに会員専用商品が含まれていると判断し、会員記憶判断部１０４が、会員記憶部１３１に会員コードが記憶されていないと判断した場合に、当該会員専用商品は販売できないことを示す第１メッセージを報知する。第１メッセージは、例えば店員用表示部１８に、あるいは店員用表示部１８および客用表示部１９に表示される。
【００３６】
また、報知部１０６は、第１メッセージを報知する前に、会員コードの入力を促す第２メッセージを報知する。具体的には、報知部１０６は、販売対象判断部１０３が、商品情報部１３２に記憶されている商品コードに会員専用商品が含まれていると判断し、会員記憶判断部１０４が、会員記憶部１３１に会員コードが記憶されていないと判断した場合に、第１メッセージを報知する前に会員コードの入力を促す第２メッセージを報知する。
【００３７】
会員入力判断部１０１は、報知部１０６が第２メッセージを報知した際に、カードリーダ２１が読み取った会員コードが入力されたかを判断する。会員入力判断部１０１は、会員コードを読み取ったと判断した場合に、当該会員コードを会員記憶部１３１に記憶する。会員記憶判断部１０４は、報知部１０６が第２メッセージを報知した際に、会員記憶部１３１に会員コードが記憶されているかを判断する。
【００３８】
また、報知部１０６は、会員専用商品が会員に提供するサービスに係る作業商品である場合には、当該会員専用商品に係る決済処理が終了した後に当該サービスの作業開始の指示を報知する。具体的には、報知部１０６は、販売対象判断部１０３が、商品情報部１３２に記憶されている商品コードに会員専用商品が含まれていると判断し、会員記憶判断部１０４が、会員記憶部１３１に会員コードが記憶されていると判断した場合に、会員専用商品が作業商品である場合には、当該会員専用商品に係る決済処理が終了した後に当該サービスの作業開始の指示を報知する。
【００３９】
ここからは、ＰＯＳ端末１０の制御について説明する。図６は、ＰＯＳ端末１０の制御処理の流れを示すフローチャートである。図６に示すように、ＰＯＳ端末１０の会員入力判断部１０１は、カードリーダ２１が読み取った会員コードが入力されたかを判断する（Ｓ１１）。会員コードが入力されたと判断した場合には（Ｓ１１のＹｅｓ）、会員入力判断部１０１は、会員記憶部１３１に入力された会員コードを記憶する（Ｓ１２）。そして制御部１００は、Ｓ１１に戻る。
【００４０】
また、会員コードの入力ではないと判断した場合には（Ｓ１１のＮｏ）、商品コード判断部１０２は、バーコードリーダ２２が読み取ったシンボルに基づいて商品を特定する商品コードを取得したかを判断する（Ｓ１３）。バーコードリーダ２２が読み取ったシンボルに基づいて商品コードを取得したと判断した場合には（Ｓ１３のＹｅｓ）、商品コード判断部１０２は、取得した商品コードに基づいて販売登録処理を実行し、商品マスタ１４２から取得した商品情報（商品コード、商品名、商品の価格、会員価格、等）を商品情報部１３２に記憶する（Ｓ１４）。商品コード判断部１０２は、会員記憶部１３１に会員コードが記憶されている場合には、Ｓ１４において、会員価格を商品情報部１３２に記憶し、店員用表示部１８と客用表示部１９に会員価格を表示する。商品コード判断部１０２は、会員記憶部１３１に会員コードが記憶されていない場合には、Ｓ１４において、通常価格と会員価格を商品情報部１３２に記憶し、店員用表示部１８と客用表示部１９に通常価格を表示する。そして制御部１００は、Ｓ１１に戻る。
【００４１】
商品コードの取得ではないと判断した場合には（Ｓ１３のＹｅｓ）、制御部１００は、締めキー１７１が操作されたかを判断する（Ｓ２１）。締めキー１７１が操作されたと判断した場合には（Ｓ２１のＹｅｓ）、制御部１００は、商品情報部１３２に記憶されている商品コードに基づいて会員専用商品マスタ１４３を検索し、商品情報部１３２に記憶されている商品に会員専用商品が含まれているかを判断する（Ｓ２２）。商品情報部１３２に記憶されている商品に会員専用商品が含まれていないと判断した場合には（Ｓ２２のＮｏ）、制御部１００は、会員記憶部１３１に会員コードが記憶されているかを判断する（Ｓ２３）。会員記憶部１３１に会員コードが記憶されていると判断した場合には（Ｓ２３のＹｅｓ）、制御部１００は、商品情報部１３２に記憶されている商品に会員価格を適用して決済処理を実行する（Ｓ２４）。そして制御部１００は、Ｓ１１に戻る。また、会員記憶部１３１に会員コードが記憶されていないと判断した場合には（Ｓ２３のＮｏ）、制御部１００は、商品情報部１３２に記憶されている商品に通常価格を適用して決済処理を実行する（Ｓ２５）。そして制御部１００は、Ｓ１１に戻る。
【００４２】
また、商品情報部１３２に記憶されている商品に会員専用商品が含まれていると判断した場合には（Ｓ２２のＹｅｓ）、会員記憶判断部１０４は、会員記憶部１３１に会員コードが記憶されているかを判断する（Ｓ３１）。会員記憶部１３１に会員コードが記憶されていると判断した場合には（Ｓ３１のＹｅｓ）、決済処理部１０５は、商品情報部１３２に記憶されている会員専用商品に会員価格を適用して決済処理を事項する（Ｓ３２）。そして制御部１００は、作業商品部１４３４に記憶されているフラグに基づいて、当該会員専用商品が作業商品であるかを判断する（Ｓ３３）。商品情報部１３２に記憶されている会員専用商品が作業商品であると判断した場合には（Ｓ３３のＹｅｓ）、報知部１０６は、当該作業商品に係るサービスの作業開始の指示を報知する（Ｓ３４）。そして制御部１００は、Ｓ１１に戻る。また、商品情報部１３２に記憶されている会員専用商品が作業商品ではないと判断した場合には（Ｓ３３のＮｏ）、制御部１００は、Ｓ１１に戻る。
【００４３】
また、会員記憶部１３１に会員コードが記憶されていないと判断した場合には（Ｓ３１のＮｏ）、報知部１０６は、会員コードの入力を促す第２メッセージを報知する（Ｓ３５）。そして会員記憶判断部１０４は、会員コードが入力され会員記憶部１３１に記憶されたかを判断する（Ｓ３６）。会員記憶判断部１０４は、会員入力判断部１０１によって会員コードが入力され会員記憶部１３１に記憶されたと判断した場合に、会員コードが入力されたと判断する。会員記憶判断部１０４は、例えばキャンセルキー（図示せず）が操作された場合に、会員コードは入力されないと判断する。会員コードが記憶されたと判断した場合には（Ｓ３６のＹｅｓ）、制御部１００は、Ｓ３２〜Ｓ３４の処理を実行し、Ｓ１１に戻る。また、会員コードは入力されないと判断した場合には（Ｓ３６のＮｏ）、報知部１０６は、当該会員専用商品は販売できないことを示す第１メッセージを報知する（Ｓ３７）。そして制御部１００は、Ｓ１１に戻る。
【００４４】
このような実施形態のＰＯＳ端末１０は、入力された会員特定情報を記憶する会員記憶部１３１と、取得した販売対象を特定する商品コードに基づいて、当該販売対象が会員専用商品であるかを判断する販売対象判断部１０３と、当該販売対象が会員専用商品であって、かつ会員記憶部１３１に会員コードが記憶されている場合にのみ当該会員専用商品に係る決済処理を実行する決済処理部１０５と、を備える。そのため、実施形態のＰＯＳ端末１０は、会員に対してのみ会員専用商品を販売することを可能である。
【００４５】
また、実施形態のＰＯＳ端末１０は、販売対象が会員専用商品であって会員記憶部１３１に会員コードが記憶されていない場合には、当該会員専用商品は販売できないことを示す第１メッセージを報知する報知部１０６、を備える。そのため、そのため、実施形態のＰＯＳ端末１０は、会員に対してのみ会員専用商品を販売することを可能である。
【００４６】
また、実施形態のＰＯＳ端末１０において、報知部１０６は、第１メッセージを報知する前に会員コードの入力を促す第２メッセージを報知する。そのため、会員コードを入力し忘れている会員に対して会員コードの入力を促すことができる。
【００４７】
また、実施形態のＰＯＳ端末１０において、報知部１０６は、販売対象がサービスの提供に係る会員専用商品（作業商品）である場合には、当該会員専用商品に係る決済処理が終了した後に当該サービスの提供の作業開始の指示を報知する。そのため、会員に対してのみ作業商品を販売することを可能である。
【００４８】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態やその変形は、発明の範囲や要旨に含まれるとともに、特許請求の範囲に記載された発明とその均等の範囲に含まれる。
【００４９】
例えば、実施形態では、販売対象判断部１０３が、Ｓ２２において会員専用商品が含まれているかを判断した後に、会員記憶判断部１０４が、Ｓ３１において会員コードが記憶されているかを判断した。しかしながらこれに限らず、会員記憶判断部１０４が、Ｓ２２において会員コードが記憶されているかを判断した後に、販売対象判断部１０３が、Ｓ３１において会員専用商品が含まれているかを判断するようにしてもよい。
【００５０】
また、実施形態では、会員記憶部１３１が記憶する会員専用商品情報を店舗サーバ３０で作成し、ＰＯＳ端末１０に送信するようにした。しかしながらこれに限らず、会員記憶部１３１が記憶する会員専用商品情報は、例えば店舗サーバ３０の上位サーバである本部サーバ（図示せず）で作成するようにしてもよい。この場合、作成された会員専用商品情報は、本部サーバから店舗サーバ３０を経由してＰＯＳ端末１０に送信される。
【００５１】
また、実施形態では、締めキー１７１が操作された場合に、販売対象判断部１０３が、取得した商品コードに基づいて、商品情報部１３２に記憶されている商品コードで特定される販売対象が会員専用商品であるかを判断するようにした。しかしながらこれに限らず、例えば、Ｓ１３において商品コードを取得した場合に、当該商品が会員専用商品であるかを判断するようにしてもよい。この場合、Ｓ１４の処理に代えて、Ｓ２２〜Ｓ３７の処理を行う。
【００５２】
また、実施形態では、締めキー１７１が操作された場合に、Ｓ２３またはＳ３１で、会員記憶部１３１に会員コードが記憶されているかを判断した。しかしながらこれに限らず、例えば、Ｓ１３において商品コードを取得した場合に、会員記憶部１３１に会員コードが記憶されているかを判断するようにしてもよい。この場合、顧客が会員である場合には、Ｓ１４において、商品の価格として会員価格を表示することができる。また、顧客が非会員である場合には、Ｓ１４において、商品の価格として通常価格を表示することができる。
【００５３】
また、実施形態では、商品マスタ１４２と会員専用商品マスタ１４３の両方に、会員専用商品に係る会員専用商品情報を記憶させた。しかしながらこれに限らず、会員専用商品マスタ１４３のみに会員専用商品に係る会員専用商品情報を記憶させるようにしてもよい。また、商品マスタ１４２において、会員専用商品について、会員専用商品であることを示す情報を商品コードに対応づけして記憶するようにしてもよい。この場合、会員専用商品マスタ１４３は不要となり、Ｓ２２の処理において、商品マスタ１４２を検索し、商品情報部１３２に記憶されている商品に会員専用商品が含まれているかを判断する。
【００５４】
また、実施形態では、自動車用品販売店や自転車用品販売店等の店舗における会員専用商品について説明した。しかしながらこれに限らず、自動車用品販売店や自転車用品販売店以外の店舗における会員専用商品についても本発明は適用可能である。
【００５５】
なお、実施形態の販売データ処理装置で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disc）等のコンピュータで読み取り可能な記録媒体に記録されて提供される。
【００５６】
また、実施形態の販売データ処理装置で実行されるプログラムを、インターネット等のネットワークに接続されたコンピュータ上に格納し、ネットワーク経由でダウンロードさせることにより提供するように構成しても良い。また、実施形態の販売データ処理装置で実行されるプログラムをインターネット等のネットワーク経由で提供または配布するように構成しても良い。
【００５７】
また、実施形態の販売データ処理装置で実行されるプログラムを、ＲＯＭ等に予め組み込んで提供するように構成してもよい。
【符号の説明】
【００５８】
１０    ＰＯＳ端末
１８    店員用表示部
１９    客用表示部
２１    カードリーダ
１００  制御部
１０１  会員入力判断部
１０２  商品コード判断部
１０３  販売対象判断部
１０４  会員記憶判断部
１０５  決済処理部
１０６  報知部
１３１  会員記憶部
１３２  商品情報部
１４２  商品マスタ
１４３  会員専用商品マスタ
１７１  キー
３０１  会員専用商品部
１４２１  商品コード部
１４２２  商品名部
１４２３  通常価格部
１４２４  会員価格部
１４３１  商品コード部
１４３２  商品名部
１４３３  会員価格部
１４３４  作業商品部
【先行技術文献】
【特許文献】
【００５９】
【特許文献１】特開２０００−１３７８７２号公報
【図１】
2020187596.tif 000003
【図２】
2020187596.tif 000004
【図３】
2020187596.tif 000005
【図４】
2020187596.tif 000006
【図５】
2020187596.tif 000007
【図６】
2020187596.tif 000008